(57)【特許請求の範囲】
【請求項１】
櫛歯と該櫛歯の基部から延設された把持部とを備え、前記把持部内が前記櫛歯間と通じる洗髪剤収納空間とされ、前記把持部が押圧により弾性変形可能とされた塗布具本体と、
ドライシャンプー剤を弾性体に含浸させた洗髪剤保持体とよりなり、
前記洗髪剤保持体は、外周が防水性フィルムで覆われ、
前記把持部の内面には突起が設けられ、
前記塗布具本体の洗髪剤収納空間には前記洗髪剤保持体が収納されており、
前記把持部の外側からの押圧により、前記防水性フィルムに前記突起で孔が形成され、前記洗髪剤保持体が圧縮されて前記ドライシャンプー剤が泡立った状態で前記櫛歯間に押し出されることを特徴とする洗髪剤塗布具。
【請求項２】
前記洗髪剤保持体の外周を覆う前記防水性フィルムは、前記櫛歯の基部側で開口して前記洗髪剤保持体を露出させていることを特徴とする請求項１に記載の洗髪剤塗布具。
【発明の詳細な説明】
【技術分野】
【０００１】
本発明は、内部に洗髪剤を有する洗髪剤塗布具に関する。
【背景技術】
【０００２】
アウトドアスポーツや野外キャンプ等の後、あるいは災害避難時には、水を使う洗髪が出来ない場合がある。そのような場合の洗髪用に、水で髪を洗い流す必要のないドライシャンプー剤が販売されている。ドライシャンプー剤は頭髪に塗布したままでもよいし、タオル等で拭き取ってもよい。
【０００３】
しかし、ドライシャンプー剤を使用する洗髪は、ドライシャンプー剤を頭髪にスプレーし、さらに手を用いてドライシャンプー剤を頭髪に馴染ませるため、手が汚れる問題がある。
また、市販されているドライシャンプー剤は専用容器に入っており、持ち運ぶには嵩張り、携帯し難い問題がある。
【０００４】
なお、櫛に洗剤収納容器を接続した整髪兼用洗髪櫛が提案されているが、単に洗剤が櫛の部分から出て髪に付着するだけであって泡立たないため、手を使って洗剤が付着した頭髪を擦らねばならず、手が汚れる問題がある。
【先行技術文献】
【特許文献】
【０００５】
【特許文献１】実開昭６２−１００１０５号公報
【発明の概要】
【発明が解決しようとする課題】
【０００６】
本発明は前記の点に鑑みなされたものであって、手を汚すこと無くシャンプーすることができ、かつ携帯に際して嵩張らない洗髪剤塗布具の提供を目的とする。
【課題を解決するための手段】
【０００７】
請求項１の発明は、櫛歯と該櫛歯の基部から延設された把持部とを備え、前記把持部内が前記櫛歯間と通じる洗髪剤収納空間とされ、前記把持部が押圧により弾性変形可能とされた塗布具本体と、ドライシャンプー剤を弾性体に含浸させた洗髪剤保持体とよりなり、前記洗髪剤保持体は、外周が防水性フィルムで覆われ、前記把持部の内面には突起が設けられ、前記塗布具本体の洗髪剤収納空間には前記洗髪剤保持体が収納されており、前記把持部の外側からの押圧により、前記防水性フィルムに前記突起で孔が形成され、前記洗髪剤保持体が圧縮されて前記ドライシャンプー剤が泡立った状態で前記櫛歯間に押し出されることを特徴とする。
【０００９】
請求項２の発明は、請求項１において、前記洗髪剤保持体の外周を覆う前記防水性フィルムは、前記櫛歯の基部側で開口して前記洗髪剤保持体を露出させていることを特徴とする。
【発明の効果】
【００１０】
本発明によれば、洗髪剤塗布具の把持部を外側から押圧することにより、洗髪剤保持体が圧縮されてドライシャンプー剤が泡立った状態で櫛歯間に押し出されるため、把持部を持って櫛歯で髪をとくだけで洗髪することができ、手が汚れるのを防ぐことができる。また、本発明の洗髪剤塗布具は、ドライシャンプー剤の容器を別に携帯する必要がなく、携帯に際して嵩張ることがない。
【図面の簡単な説明】
【００１１】
【図１】本発明における一実施例の洗髪剤塗布具の斜視図である。
【図２】同実施例の洗髪剤塗布具の断面図である。
【図３】同実施例の洗髪剤塗布具の分解斜視図である。
【図４】洗髪剤保持体の各例を示す断面図である。
【図５】他実施例の洗髪剤塗布具の斜視図である。
【発明を実施するための形態】
【００１２】
以下、本発明の実施例に係る洗髪剤塗布具について、図面を用いて説明する。
図１及び図２に示す実施例の洗髪剤塗布具１０は、塗布具本体２１と、洗髪剤保持体４１とよりなる。
【００１３】
前記塗布具本体２１は、一端に形成された櫛歯２２と、該櫛歯２２の基部２２１から延設された把持部２７とを両側に備える扁平形状からなり、前記把持部２７内が前記櫛歯２２間と通じる洗髪剤収納空間３１となっている。
前記塗布具本体２１は、図３に示すように、前記塗布具本体２１を側面で二分割した形状の半体２１Ａ、２１Ａからなり、前記半体２１Ａ、２１Ａが接着や溶着、あるいは嵌合等で接合一体化されて前記塗布具本体２１が形成される。
【００１４】
前記半体２１Ａ、２１Ａは、プラスチック品からなり、それぞれに櫛歯２２と該櫛歯２２から延設された把持部２７とが形成されている。前記半体の２１Ａ、２１Ａの接合一体化により、前記塗布具本体２１の両側に前記櫛歯２２と、前記把持部２７が設けられる。
【００１５】
前記塗布具本体２１の両側の櫛歯２２、２２間には、隙間２５が前記櫛歯２２の基部２２１まで設けられている。前記櫛歯２２の基部２２１における隙間２５１を介して前記櫛歯２２、２２間と前記洗髪剤収納空間３１が連通する。
【００１６】
前記半体２１Ａ、２１Ａのそれぞれの把持部２７の内面は窪んだ凹形状をしており、前記半体２１Ａ、２１Ａの把持部２７、２７の内面間が前記洗髪剤収納空間３１を構成する。また、前記半体２１Ａ、２１Ａのそれぞれの把持部２７は、外側からの押圧により弾性変形可能な厚みで構成されている。さらに、前記半体２１Ａ、２１Ａのそれぞれの把持部２７の内面には、先端が尖った突起２９がそれぞれ形成されている。前記突起２９は、前記把持部２７の内面から突出形成されたプラスチック製突起に限らず、画鋲のような金属製の針部材を接着等で固定したものでもよい。
【００１７】
前記洗髪剤保持体４１は、弾性体にドライシャンプー剤が含浸保持されたもので構成されている。前記弾性体としては、液体を含浸保持可能なウレタンフォーム等の多孔質体が好ましい。具体的には、連続気泡からなる軟質スラブポリウレタンフォームがより好ましい。連続気泡のフォームを使用することで、塗布具本体の把持部を押圧するのに、気泡構造によって空気の出し入れが生じやすく、ドライシャンプーの泡立ちが良好となる。ドライシャンプー剤は、水を用いることなく洗髪が可能な公知の液状タイプが用いられる。
【００１８】
前記洗髪剤保持体４１は、図４の（４−１）に示すように、全周が防水性フィルム４３で覆われて密封されたもの、あるいは図４の（４−２）のように、周囲を防水性フィルム４４で覆い、前記防水性フィルム４４が前記櫛歯２２の基部側のみで開口して該開口した部分で洗髪剤保持体４１の櫛歯側４１１を露出させたもの、または図４の（４−３）に示すように、全周が防水性フィルムで覆われていないものの何れかが用いられる。また、洗髪剤収納空間３１には、洗髪剤保持体４１とともに泡立ちを促進する粗めの樹脂発泡体を同梱してもよい。この粗めの樹脂発泡体は、除膜処理したポリウレタンフォームであって、セル数が５〜４０個／２５ｍｍ（ＪＩＳ  Ｋ６４００−１準拠）であることが好ましい。
【００１９】
図４の（４−１）及び（４−２）で示したような防水性フィルム４３、４４で前記洗髪剤保持体４１が覆われたものは、前記洗髪剤塗布具１０の使用開始まで洗髪剤保持体４１内のドライシャンプー剤が蒸発するのを、前記防水性フィルム４３、４４で効果的に抑えることができ、使用時に前記把持部２７を外側から押圧することによって、前記突起２９が防水性フィルム４３、４４に突き刺さって孔を形成し、前記洗髪剤保持体４１からドライシャンプー剤が押し出されるようにする。
【００２０】
なお、図４の（４−３）に示すように、防水性フィルムで前記洗髪剤保持体４１が覆われていないものについては、前記把持部２７内面の突起２９を無くしてもよい。
また、前記防水性フィルムで前記洗髪剤保持体４１が覆われていないものを使用する場合であっても、前記洗髪剤塗布具１０を使用時まで防水性フィルムの袋に収容して密封しておくことにより、前記洗髪剤塗布具１０の使用開始まで洗髪剤保持体４１内のドライシャンプー剤が蒸発するのを防ぐことができる。
さらに、洗髪剤だけ密封した別部材の袋と、洗髪剤が含浸されていない洗髪剤保持体４１とを洗髪剤収納空間３１に収納し、洗髪剤を密封した前記袋を、前記把持部２７内面の突起２９で突き破るようにしてもよい。
【００２１】
前記洗髪剤塗布具１０は、使用時に前記把持部２７を外側から繰り返し押すことによって前記洗髪剤保持体４１が繰り返し圧縮され、前記洗髪剤保持体４１内からドライシャンプー剤が泡立った状態で押し出され、前記櫛歯２２の基部の隙間２５１を通って櫛歯２２間に至る。その状態で前記櫛歯２２を頭髪に当てて動かすことにより、ドライシャンプー剤が髪に塗布され、手を汚すことなく洗髪を行うことができる。
【００２２】
前記実施例の洗髪剤塗布具１０は櫛歯２２の方向に長い扁平な縦長タイプであるが、それに限られず、図５に示す他の実施例の洗髪剤塗布具１００のように、櫛歯１０１と直交する方向に長い扁平な横長タイプでもよい。
前記洗髪剤塗布具１００は、横長な点を除いて、図１に示した洗髪塗布具１０と同様の構成からなり、一端に前記櫛歯１０１が形成され、該櫛歯１０１の基部から把持部１１１が延設されている。前記把持部１１１の内面には突起（図示せず）が設けられ、また、前記把持部１１１内に洗髪剤収納空間（図示せず）が設けられている。前記洗髪剤収納空間は、前記櫛歯１０１間と連通しており、該洗髪剤収納空間に、前記ドライシャンプー剤が含浸保持された洗髪剤保持体（図示せず）が収容されている。前記洗髪剤塗布具１００においても、前記把持部１１１を外側から繰り返し押圧することにより前記ドライシャンプー剤が泡立った状態で前記櫛歯１０１間に押し出される。
【００２３】
このように、本発明の洗髪剤塗布具は、把持部の外壁を押圧することにより、ドライシャンプー剤が泡立った状態で櫛歯間に押し出されるため、ドライシャンプー剤に直接手を触れなくても、把持部を持って櫛歯で髪をとくだけで洗髪することができ、手が汚れるのを防ぐことができる。また、本発明の洗髪剤塗布具は、洗髪剤塗布具とは別にドライシャンプー剤の容器を携帯する必要がなく、携帯に際して嵩張ることがない。
【符号の説明】
【００２４】
１０  洗髪剤塗布具
２２  櫛歯
２７  把持部
４１  洗髪剤保持体
【図１】
0006509574.tif 000002
【図２】
0006509574.tif 000003
【図３】
0006509574.tif 000004
【図４】
0006509574.tif 000005
【図５】
0006509574.tif 000006